(57)【特許請求の範囲】
【請求項１】
底に結合孔及び弾性係止片が設けられた下部ケースと；
前記下部ケースに第１ヒンジピンを介して連結され、開閉操作される上部ケースと；
前記下部ケースの結合孔にカプセルの下部が外部に露出されるように挿設されるとともに、前記弾性係止片に、カプセルに対応して形成された係止溝が分離可能に弾性的に結合され、前記カプセルの内部に収納された多孔性パッドには液状化粧料が含浸され、最初の化粧時に除去されるシーリング部材によってシーリングされる詰め替え用のカプセル化粧品と；
前記カプセル化粧品をカバーするために、その外側に設けられるように下部ケースに係止装着され、結合溝を形成するための内壁及び外壁が設けられた内部容器と；
前記内部容器に第２ヒンジピンを介して連結されて開閉操作され、また上部にはパフが収納されるパフ受けが設けられ、下部には前記内部容器の結合溝に挿入される嵌合リブが突設されたリッドと；を含み、
前記カプセル化粧品及びリッドは前記内部容器の内壁及び外壁に形成されたシーリング突条にそれぞれ弾性的に密着してシーリングされるように構成されることを特徴とする、カプセル化粧品詰め替え構造及び気密機能を持つコンパクトケース。
【請求項２】
前記カプセル化粧品及びリッドは、カプセルの上端外周面及び嵌合リブの外周面が前記内部容器の内壁及び外壁に形成されたシーリング突条とそれぞれ弾性的に密着することによってシーリングされるように構成されることを特徴とする、請求項１に記載のカプセル化粧品詰め替え構造及び気密機能を持つコンパクトケース。
【請求項３】
前記内部容器は軟質素材からなることを特徴とする、請求項１に記載のカプセル化粧品詰め替え構造及び気密機能を持つコンパクトケース。
【請求項４】
前記軟質素材は、ポリプロピレン（ｐｏｌｙｐｒｏｐｙｌｅｎｅ）、ポリエチレン（ｐｏｌｙｅｔｈｙｌｅｎｅ）、及び低密度ポリエチレン（ｌｏｗ  ｄｅｎｓｉｔｙ ｐｏｌｙｅｔｈｙｌｅｎｅ）のいずれか１種であることを特徴とする、請求項３に記載のカプセル化粧品詰め替え構造及び気密機能を持つコンパクトケース。
【請求項５】
前記リッドのパフ受けには通気部が形成されることを特徴とする、請求項１に記載のカプセル化粧品詰め替え構造及び気密機能を持つコンパクトケース。
【請求項６】
前記第２ヒンジピンを介してリッドが連結される内部容器には、前記内部容器に対するリッドの開閉操作がなだらかになるようにするための伸縮部が形成されることを特徴とする、請求項１に記載のカプセル化粧品詰め替え構造及び気密機能を持つコンパクトケース。
【請求項７】
前記内部容器の内壁の上面は、リッドの閉鎖操作の際、嵌合リブの内周面と互いに密着するように結合されることを特徴とする、請求項１に記載のカプセル化粧品詰め替え構造及び気密機能を持つコンパクトケース。
【発明の詳細な説明】
【技術分野】
【０００１】
本発明は、コンパクトケースに係り、より詳しくは、カプセルの内部に入っているスポンジや発泡ウレタンフォームなどの多孔性パッドに液状化粧料が含浸されたタイプのカプセル化粧品を直接詰め替え構造に装着して使うとともに、カプセル化粧品の装着による気密機能を付与して、エアクッションに含浸された液状化粧料の水分蒸発を防止するようにしたカプセル化粧品詰め替え構造及び気密機能を持つコンパクトケースに関する。
【背景技術】
【０００２】
一般に、コンパクトは携帯用化粧道具であり、ケースの内部に主に粉末状又は固形状の化粧粉（Ｐｏｗｄｅｒ）のような化粧品が収納され、携帯して蓋の内周面に設けられた鏡を見ながらパフ（ｐｕｆｆ）を用いて簡便に化粧するように構成されている。このようなコンパクトは、比較的体積が小さくて携帯が容易な利点があり、さらに円形又は四角形などの多様な形態のデザインに製作され、その機能も多様に開発されている実情である。
【０００３】
しかし、従来提示されているコンパクトは、その効用性にもかかわらず、その用途が非常に制限的である。すなわち、粉末状の化粧品を主に収納して使用する用途にだけ制限されている実情なので、その利用価値が高くなる必要がある。
【０００４】
このような点に鑑み、近年コンパクトケースの内部に別の詰め替えケースを収納するようにし、前記詰め替えケースには、既存の化粧粉形態の化粧品を初めとして、担体、例えばスポンジやウレタンフォームのような多孔性パッドに液状化粧料が含浸されたタイプの化粧品、いわゆるエアクッションタイプの化粧品を収納して使うようにしたコンパクトタイプの化粧品容器が提案されている実情ではある。
【０００５】
しかし、従来に提示されているコンパクトタイプの化粧品容器は、エアクッションタイプの化粧品を収納して使うためには、何よりも詰め替えケースを別に製作しなければならない。その構成を見れば、エアクッション化粧品の収納のための本体、前記本体にヒンジで連結されて開閉操作される蓋及び前記本体内に収納されたエアクッションタイプの化粧品が離脱することを防止するためのカバーリングとともに前記本体内に収納されるエアクッション化粧品を受ける収納トレーなど、少なくとも三つ以上の構造を備えている。
【０００６】
したがって、従来の場合、詰め替えケース構造が自然に複雑になるとともに、これを収納して使用するコンパクト構造もこれに合わせて製作されなければならない構造の複雑性を避けることができなく、このために製品の製作コストが過度に増加する問題があった。また、詰め替えケースの本体に対する蓋のエアタイト組立のための多様な密閉構造が採用されているが、効果的な気密機能を付与することができないため、エアクッション化粧品の水分蒸発を防止することに限界があり、これに対する改善が急に要求されている実情である。
【先行技術文献】
【特許文献】
【０００７】
【特許文献１】韓国登録特許第１０−１３１８４６７号公報
【発明の概要】
【発明が解決しようとする課題】
【０００８】
したがって、本発明は前記のような従来の問題点を改善するためになされたもので、本発明は、カプセル化粧品を詰め替え構造にして使うことができ、多孔性パッドに液状化粧料が含浸されたタイプのカプセル化粧品構造を非常に簡単にし、コンパクトケースに装着されるとき、気密機能を付与して、安定した密封力を提供することにより、多孔性パッドに含浸された液状化粧料の水分蒸発を効果的に防止するようにしたカプセル化粧品詰め替え構造及び気密機能を持つコンパクトケースを提供しようとする。
【課題を解決するための手段】
【０００９】
このような目的を達成するために、本発明によると、底に結合孔及び弾性係止片が設けられた下部ケースと、前記下部ケースに第１ヒンジピンを介して連結され、開閉操作される上部ケースと、前記下部ケースの結合孔にカプセルの下部が外部に露出されるように挿設されるとともに、前記弾性係止片に、カプセルに対応して形成された係止溝が分離可能に弾性的に結合され、前記カプセルの内部に収納された多孔性パッドには液状化粧料が含浸され、最初の化粧時に除去されるシーリング部材によってシーリングされる詰め替え用のカプセル化粧品と、前記カプセル化粧品をカバーするために、その外側に設けられるように下部ケースに係止装着され、結合溝を形成するための内壁及び外壁が設けられた内部容器と、前記内部容器に第２ヒンジピンを介して連結されて開閉操作され、また上部にはパフが収納されるパフ受けが設けられ、下部には前記内部容器の結合溝に挿入される嵌合リブが突設されたリッドとを含んでなり、前記カプセル化粧品及びリッドは前記内部容器の内壁及び外壁に形成されたシーリング突条にそれぞれ弾性的に密着してシーリングされるように構成される。
【００１０】
前記カプセル化粧品及びリッドは、カプセルの上端外周面及び嵌合リブの外周面が前記内部容器の内壁及び外壁に形成されたシーリング突条とそれぞれ弾性的に密着することによってシーリングされるように構成されることができる。
【００１１】
前記内部容器は軟質素材からなることができる。
【００１２】
前記軟質素材は、ポリプロピレン（ｐｏｌｙｐｒｏｐｙｌｅｎｅ）、ポリエチレン（ｐｏｌｙｅｔｈｙｌｅｎｅ）、及び低密度ポリエチレン（ｌｏｗ  ｄｅｎｓｉｔｙ ｐｏｌｙｅｔｈｙｌｅｎｅ）のいずれか１種であってもよい。
【００１３】
前記リッドのパフ受けには通気部が形成されることができる。
【００１４】
前記第２ヒンジピンを介してリッドが連結される内部容器には、前記内部容器に対するリッドの開閉操作がなだらかになるようにするための伸縮部が形成されることができる。
【００１５】
前記内部容器の内壁の上面は、リッドの閉鎖操作の際、嵌合リブの内周面と互いに密着するように結合されることができる。
【発明の効果】
【００１６】
本発明によると、下部ケースに対するカプセル化粧品の詰め替えのための入れ替えや分離が非常に簡便に行え、また液状化粧料が含浸された多孔性パッドをカプセルに収納する構造によってカプセル化粧品が構成されることにより、カプセル化粧品の構造を非常に簡単にしながらも、下部ケースに装着されるとき、安定した気密力を提供して、多孔性パッドに含浸された液状化粧料の水分蒸発や漏液を防止することができ、またパフの通気ができるようにして、湿気によるかびや細菌の発生なしに衛生的な使用ができるようにする効果を提供する。
【図面の簡単な説明】
【００１７】
【図１】本発明による組立斜視図である。
【図２】本発明によるカプセル化粧品の分離開放斜視図である。
【図３】図１の線Ａ１−Ａ１についての断面図である。
【図４】図１の線Ｂ１−Ｂ２についての断面図である。
【図５】図３のＡ部の拡大断面図である。
【図６】図４のＢ部の拡大断面図である。
【図７】本発明によるカプセル化粧品の使用状態を示す開放斜視図である。
【図８】本発明によるカプセル化粧品の分離の前後側断面図である。
【図９】本発明によるカプセル化粧品の分離の前後側断面図である。
【発明を実施するための形態】
【００１８】
以下、本発明の好適な実施例を添付図面に基づいて詳細に説明する。できるだけ、すべての図面及び説明において同一の参照符号は同一乃至類似の部分を指示する。
【００１９】
図１〜図９を参照すれば、本発明によるカプセル化粧品詰め替え構造及び気密機能を持つコンパクトケース１は、全体的に円形になっている。しかし、これは一例に過ぎなく、四角形などの多様な形態にデザインできるのはいうまでもない。
【００２０】
コンパクトケース１は二分割形態の下部ケース１０及び上部ケース２０を含んでなる。前記下部及び上部ケースは、組立時に向い合う方向に開放した形態を成している。前記上部ケース２０は、一側が下部ケース１０に対して第１ヒンジピン２２で連結されており、前記第１ヒンジピン２２を中心に前記下部ケース１０に対して他側が開閉可能に構成されている。
【００２１】
前記下部ケース１０の内部底には結合孔１２が貫設され、前記結合孔には詰め替え用のカプセル化粧品３０が結合されている。
【００２２】
前記結合孔１２に結合されるカプセル化粧品３０は、その下端部が下部ケース１０の下部底から露出されるように結合され、また前記結合孔に設けられる少なくとも一つ以上の弾性係止片１４にカプセル化粧品３０のカプセル３２の下端外周面に形成された係止溝３３が互いに分離可能に弾性的に結合されることにより、意図せぬ離脱を防止するように結合される。
【００２３】
前記カプセル化粧品３０は一側に開放した形態のカプセル３２を含み、前記カプセルの内部にはスポンジや発泡ウレタンフォームのような多孔性パッド３４が収納され、前記多孔性パッドには液状化粧料が含浸されている。そして、カプセルの上面はシーリング部材３６でシーリングされているタイプである。
【００２４】
前記カプセル化粧品３０のシーリング部材３６は、製品を購入した後、最初に化粧する場合に開封される。したがって、製品の流通過程では多孔性パッド３４に含浸された液状化粧料の水分蒸発が防止されるものである。
【００２５】
前記カプセル化粧品３０の外側には、内部容器４０が下部ケース１０に係止装着されている。内部容器４０の上端には所定深さの結合溝４２をなすための内壁４３及び外壁４４が形成されている。
【００２６】
前記内部容器４０は、結合溝４２の下側に形成されたテンション支持片４５が下部ケース１０の底の内周面から突設されたテンション支持片１６に互いに弾支されることにより、離脱しないように結合される。
【００２７】
一方、内部容器４０は一定の弾性を持つように軟質素材から形成されることが好ましい。この場合、軟質素材としては、ポリプロピレン（ｐｏｌｙｐｒｏｐｙｌｅｎｅ）、ポリエチレン（ｐｏｌｙｅｔｈｙｌｅｎｅ）、低密度ポリエチレン（ｌｏｗ  ｄｅｎｓｉｔｙ ｐｏｌｙｅｔｈｙｌｅｎｅ）が利用できる。
【００２８】
中間ケース５０は前記下部ケース１０に装着される内部容器４０の外側に形成される空間をカバーするために装着される。
【００２９】
内部容器４０の上部には、一側が前記内部容器に第２ヒンジピン６２で連結されたリッド６０が開閉可能に構成されている。リッド６０の上部にはパフ６３を収納するためのパフ受け６４が形成され、前記パフ受けには通気部６５が形成されている。
【００３０】
前記パフ受け６４の通気部６５を通じて空気の通気が可能になることにより、パフ受け６４に収容されるパフ６３が乾燥され、これによりかびや細菌の発生を防止してパフの衛生的な使用が可能になる。
【００３１】
そして、リッド６０の下部には、内部容器４０の結合溝４２に挿入される嵌合リブ６６が下側に突出するように延設されている。
【００３２】
前記内部容器４０の上部に開閉可能に設けられるリッド６０は、上部ケース２０とは直交方向に開閉操作され、上部ケースとの開閉干渉を発生しないように構成されている。
【００３３】
一方、前記カプセル化粧品３０及びリッド６０は、これらの結合の際、前記内部容器４０の内壁４３及び外壁４４から突設されたシーリング突条４３ａ、４４ａとの弾性接触によって密封結合される。
【００３４】
すなわち、カプセル化粧品３０は、下部ケース１０の結合孔１２に結合されるとき、カプセル３２の上端外周面が前記内部容器４０の内壁４３に形成されたシーリング突条４３ａに弾性的に密着し、さらにリッド６０の嵌合リブ６６はその外周面が内部容器４０の外壁４４に形成されたシーリング突条４４ａにそれぞれ弾性的に密着するように結合されてシーリングされるものである。
【００３５】
特に、前記カプセル化粧品３０及びリッド６０の結合の際、シーリング突条４３ａ、４４ａによるシーリング作用は内部容器４０が弾性力に優れた軟質素材から形成されることにより、もっと安定した弾性密着力を提供することができる。
【００３６】
さらに、前記内部容器４０の結合溝４２の両側に設けられる内壁４３及び外壁４４はこれらに形成されたシーリング突条４３ａ、４４ａとそれぞれ接触する状態で結合及び閉鎖されるカプセル化粧品３０のカプセル３２及びリッド６０の嵌合リブ６６に対してそれぞれ一定のテンション力を付与するように密着して支持されることによって安定した密封力を提供することになる。
【００３７】
そして、前記内部容器４０の内壁４３は、図６に示したように、その上面４３ｂがリッド６０の閉鎖操作の際に嵌合リブ６６の内周面に密着するように結合されるため、これもシーリング作用することになる。特に、リッド６０は上部ケース２０の閉鎖操作によって強制に押されるので、もっと安定した気密力を提供することができる。
【００３８】
結局、本発明は、前記内部容器４０の内壁４３及び外壁４４に形成されたシーリング突条４３ａ、４４ａ及び内壁４３の上面４３ｂによる多重シーリング構造によってカプセル化粧品３０がシーリングされる。
【００３９】
したがって、カプセル化粧品３０は、シーリング部材３６を除去する前はもちろんのこと、シーリング部材を除去した後であっても前記内部容器４０の内壁４３及び外壁４４に形成されたシーリング突条４３ａ、４４ａのシーリング作用とともにリッド６０の下部内周面と密着する内壁４３の上面４３ｂの密着構造により、多孔性パッド３４に含浸された液状化粧料の水分蒸発や漏液を防止することができる。
【００４０】
一方、本発明によると、前記第２ヒンジピン６２を介してリッド６０が連結される内部容器４０には、前記内部容器に対するリッドの開閉操作がなだらかになるようにするための伸縮部４６がさらに形成されることが好ましい。
【００４１】
前記内部容器４０の伸縮部４６の構成により、第２ヒンジピン６２で連結されたリッド６０の前記内部容器４０に対する開閉操作が柔軟になされ、特に内部容器４０の結合溝４２に対するリッド６０の嵌合リブ６６の結合がもっと安定的になされることができる。
【００４２】
図面で、参照符号１１は上部ケースの開放操作に役立てるために下部ケースに設けられたボタンである。参照符号２４は上部ケースの内部に設けられる鏡である。また、参照符号７０は下部ケースに対する上部ケースの初期開放動作に役立てるためのテンションゴムである。
【００４３】
このように構成される本発明によるカプセル化粧品の詰め替え構造及び気密機能を持つコンパクトケースの使用状態を説明する。
【００４４】
まず、図３及び図４を参照すれば、これは、下部ケース１０の内部にカプセル化粧品３０が結合され、リッド６０及び上部ケース２０が閉められた状態である。そして、カプセル化粧品３０は、シーリング部材３６が除去されなかった状態でカプセル３２の下部外周に形成された係止溝３３が下部ケース１０の結合孔１２に設けられた弾性係止片１４に係合された状態である。
【００４５】
したがって、カプセル化粧品３０は、詰め替えのために人為的に強制に分離させない限り、下部ケース１０からの意図せぬ分離や離脱が防止される。
【００４６】
また、カプセル化粧品３０は、その下端が下部ケース１０の結合孔１２を通じて外部に露出されているので、後続の詰め替えの際に押し出しやすいように組み立てられている。
【００４７】
そして、カプセル化粧品３０は、上部ケース２０及びリッド６０が閉められた状態では、カプセル３２の上端外周面が内部容器４０の内壁４３に形成されたシーリング突条４３ａと弾性的に結合され、また前記内部容器の結合溝４２にリッド６０の嵌合リブ６６が挿入されるとき、前記嵌合リブの外周面が外壁４４に形成されたシーリング突条４４ａと互いに弾性的に密着した状態を維持しているだけではなく、前記内壁４３の上面４３ｂも前記リッド６０の嵌合リブ６６の内側下面に密着している。
【００４８】
したがって、カプセル化粧品３０は、シーリング部材３６が除去される前には、シーリング部材によって当然シーリング作用が発揮されるものであるが、製品を購入した後、シーリング部材３６が除去された状態であっても、前記のような多重シーリング構造により、多孔性パッド３４に含浸された液状化粧料の水分蒸発や漏液が防止されるので、コンパクトケース１の携帯及び使用が容易になる。
【００４９】
そして、コンパクトケース１の携帯の際、下部ケース１０及び上部ケース２０の組立空間を通じて流入する外部空気は多重シーリング構造によって前記カプセル化粧品３０の内部に通気できないが、リッド６０のパフ受け６４の上部に形成された通気部６５を通じては通気できるので、これに収納されたパフ６３が乾燥され、これによりかびの形成や細菌の発生が防止されて衛生的な使用が可能である。
【００５０】
一方、カプセル化粧品３０の多孔性パッド３４に含浸された液状化粧料で化粧しようとする場合には、図７のように、ボタン１１の操作によって下部ケース１０に対して上部ケース２０を開放し、ついで内部容器４０からリッド６０を順次開放操作した後、パフ６３で多孔性パッド３４に含浸された液状化粧料をつけて化粧すれば良い。もちろん、製品購入後、最初に化粧する場合には、シーリング部材を除去してから化粧すれば良い。
【００５１】
そして、化粧が完了すれば、再び上部ケース２０及びリッド６０を閉めれば良い。特に、リッド６０の閉鎖操作の際、第２ヒンジピン６２が連結された内部容器４０、より具体的には外壁４４に連結された部分に形成された伸縮部４６の構成によって安定した密封結合がなされる。
【００５２】
また、カプセル化粧品３０をすっかり消耗して他のものに入れ替ろうとする場合には、図８及び図９のように、下部ケース１０からカプセル化粧品３０の下端部を上側に押し上げて強制に分離した後、新しいカプセル化粧品を結合すれば良い。
【００５３】
したがって、本発明は、前記のような方式でカプセル化粧品３０を入れ替えて使うことにより、カプセル化粧品を除いた残りの構成部品は半分永久的に使用することができ、化粧品の購入によるコストを最小化することができる経済的な利点があり、さらにカプセル化粧品の詰め替え構造を採用しても軟質素材からなった内部容器４０の内壁４３及び外壁４４に形成されたシーリング突条４３ａ、４４ａと、内壁４３の上面４３ｂの密着構造とによって、カプセル化粧品３０及びリッド６０のシーリング結合が可能であるので、多孔性パッド３４に含浸された液状化粧料の水分蒸発や漏液の問題を発生しないでいつも安全に使うことができるものである。
【００５４】
以上、本発明の好適な実施例を例示的に開始したが、当業者であれば添付の請求範囲に開示されたような本発明の範囲及び精神から逸脱することなしに多様な変形、追加及び代替ができることが理解可能であろう。
【図１】
0006046317.tif 000002
【図２】
0006046317.tif 000003
【図３】
0006046317.tif 000004
【図４】
0006046317.tif 000005
【図５】
0006046317.tif 000006
【図６】
0006046317.tif 000007
【図７】
0006046317.tif 000008
【図８】
0006046317.tif 000009
【図９】
0006046317.tif 000010